(57)【要約】【課題】プラント全体の外観上の体裁が良く、各種プラントによる空気の環境汚染を低減でき、防災性にも優れ、しかも、各種プラントと外部とを遮断でき、各種プラントの安全管理が行い易く、これからの社会に貢献できる有益なプラント用施設を提供する。【解決手段】石油精製プラントや石油化学プラントや製薬プラントや発電プラントや環境処理プラントの如き各種プラントに於いて、その建屋や付帯設備一式を含むプラント全体Ｐの上方空間をドーム状構造体Ａで覆うように構成する。【選択図】図１
0003159728.tif 000002
【実用新案登録請求の範囲】
【請求項１】
石油精製プラントや石油化学プラントや製薬プラントや発電プラントや環境処理プラントの如き各種プラントに於いて、その建屋や付帯設備一式を含むプラント全体の上方空間をドーム状構造体で覆うように構成したことを特徴とするプラント用施設。
【請求項２】
石油精製プラントや石油化学プラントや製薬プラントや発電プラントや環境処理プラントの如き各種プラントに於いて、その建屋や付帯設備一式を含むプラント全体の上方空間をドーム状構造体で覆うように構成し、このドーム状構造体から離れた周囲を外周壁体で囲繞できるように構成したことを特徴とするプラント用施設。
【請求項３】
建屋や付帯設備一式を含むプラント全体が設置されている基礎部に、金属材或いは合成樹脂材からなる土壌汚染防止用の積層部を設けたことを特徴とする請求項１または請求項２記載のプラント用施設。
【考案の詳細な説明】
【技術分野】
【０００１】
本考案は、石油精製プラントや、石油化学プラントや、製薬プラントや、発電プラント（原子力発電、火力発電）や、環境処理プラント（浄水処理、廃棄物処理）の如き各種プラントに設置されるプラント用施設に係り、特に、プラントによる環境汚染を低減できるようにすると共に、プラント自体の防災性を高められ、しかも、プラント全体の外観上の体裁が良くなるように工夫したプラント用施設に関するものである。
【背景技術】
【０００２】
従来の原子力発電プラントや石油化学プラントやその他の各種プラントにあっては、例えば、所定の敷地内に各設備を配置すると共に、これらを適宜配管等で結ぶように構成されたものが数多く見受けられる。例えば、原子力発電プラントにあっては、特許文献１の図１に示すように、原子炉建屋や、燃料貯蔵設備や、浄化装置や、適宜配管等を所定の敷地内に設置することにより構成されている。
【先行技術文献】
【特許文献】
【０００３】
【特許文献１】特開平１０−１０４３８３号公報（図１）
【考案の概要】
【考案が解決しようとする課題】
【０００４】
ところが、従来の各種プラントにあっては、環境汚染対策や、防災対策等について十分な対応処置が図られているとは言えない問題点があった。
そこで、本願考案者は、これらの問題点を解消することにより、環境汚染を低減でき、防災性に優れ、外観上の体裁も良く、安全管理を行い易くなり、これからの社会に貢献できるようなプラント用施設を案出したものである。
【課題を解決するための手段】
【０００５】
しかして、前述の如き課題を達成できるようにすべく、本考案の請求項１記載のプラント用施設にあっては、石油精製プラントや石油化学プラントや製薬プラントや発電プラントや環境処理プラントの如き各種プラントに於いて、その建屋や付帯設備一式を含むプラント全体Ｐの上方空間をドーム状構造体Ａで覆うように構成する手段を採用した。
【０００６】
また、本考案の請求項２記載のプラント用施設にあっては、石油精製プラントや石油化学プラントや製薬プラントや発電プラントや環境処理プラントの如き各種プラントに於いて、その建屋や付帯設備一式を含むプラント全体Ｐの上方空間をドーム状構造体Ａで覆うように構成し、このドーム状構造体Ａから離れた周囲を外周壁体Ｃで囲繞できるように構成する手段を採用した。
【０００７】
更に、本考案の請求項３記載のプラント用施設にあっては、建屋や付帯設備一式を含むプラント全体Ｐが設置されている基礎部Ｂに、金属材或いは合成樹脂材からなる土壌汚染防止用の積層部Ｂ１を設ける手段を採用した。
【考案の効果】
【０００８】
従って、請求項１のプラント用施設によれば、ドーム状構造体Ａによってプラント全体Ｐの外観上の体裁が良くなると共に、各種プラントによる空気の環境汚染を低減できるようになり、防災性にも優れたものとなる。
しかも、ドーム状構造体Ａによってプラント全体Ｐと外部とを確実に遮断することが可能となり、各種プラントの安全管理が行い易いものとなる。すなわち、ドーム状構造体Ａ内の空気のコントロールや浄化処理等が行い易くなる。ひいては、これからの社会に貢献できる有益なものとなる。
【０００９】
また、請求項２のプラント用施設によれば、ドーム状構造体Ａによってプラント全体Ｐの外観上の体裁が良くなると共に、各種プラントによる空気の環境汚染を低減できるようになり、防災性にも優れたものとなる。
しかも、ドーム状構造体Ａによってプラント全体Ｐと外部とを確実に遮断することが可能となり、各種プラントの安全管理が行い易いものとなる。すなわち、ドーム状構造体Ａ内の空気のコントロールや浄化処理等が行い易くなる。ひいては、これからの社会に貢献できる有益なものとなる。
加えて、外周壁体Ｃを設けたことによって、防災性がより優れたものとなり、例えば、テロ等による危険性にも対応し易いものとなる。
【００１０】
更に、請求項３のプラント用施設によれば、基礎部Ｂに設けた積層部Ｂ１によって、土壌汚染を確実に低減できるようになる。
【図面の簡単な説明】
【００１１】
【図１】本考案のプラント用施設を例示する概略縦断面図である。
【図２】本考案のプラント用施設を例示する概略平面図である。
【考案を実施するための形態】
【００１２】
以下、本考案を説明すると、次の通りである。
本考案は、石油精製プラントや、石油化学プラントや、製薬プラントや、発電プラント（原子力発電、火力発電）や、環境処理プラント（浄水処理、廃棄物処理）の如き各種プラントに設置されるプラント用施設であって、このプラント用施設は、建屋や付帯設備一式を含むプラント全体Ｐの上方空間をドーム状構造体Ａで覆うように構成することにより、課題を達成するものである。
【実施例】
【００１３】
図示例のプラント用施設は、その建屋や付帯設備一式を含むプラント全体Ｐの上方空間を覆うように構成したドーム状構造体Ａと、このドーム状構造体Ａから離れた周囲を囲繞できるように構成した外周壁体Ｃと、基礎部Ｂに設置されると共に、金属材或いは合成樹脂材からなる土壌汚染防止用の積層部Ｂ１とを設けたものである。
【００１４】
すなわち、前記ドーム状構造体Ａは、プラント全体Ｐと外部とを確実に遮断できて、環境汚染や、防災に対して対応できるように構成されると共に、プラント全体Ｐの外観上の体裁を良くできるように構成されたものである。しかも、ドーム状構造体Ａは、プラント全体Ｐの安全管理が行い易いように構成されたものである。すなわち、ドーム状構造体Ａで覆われた内がわの空気をコントロールすることや、この空気の浄化処理等が行い易くなるように形成されている。
また、前記外周壁体Ｃは、プラント全体Ｐの防災性をより高められるように構成されたものである。
更に、前記基礎部Ｂに設けた積層部Ｂ１は、土壌汚染を確実に低減できるように構成されたものである。
【００１５】
前記ドーム状構造体Ａは、例えば、必要に応じて適宜配される支柱によって、適宜梁を支えられるように形成し、この梁の上にドーム状の外装体を設けるようにして構成されている。
しかも、前記外装体は、例えば、放射線を遮断できる鉛や、アルミや、ステンレスや、チタンや、セラミックや、適宜合成樹脂材や、適宜複合材や、コンクリートや、その他の適宜材料によって構成されている。しかも、外装体は、複数の層からなる積層状態に構成しても良い。
尚、外装体は、ドーム状構造体Ａの外がわの空気と内がわの空気とを確実に遮断できるものであって、更に、強度や耐久性に優れ、比較的低廉で、軽量なものが好ましい。
【００１６】
また、ドーム状構造体Ａには、防災用のスプリンクラーを多数付設したり、消化剤等を噴出できるように形成したり、或いは、殺菌剤等を噴出できるように形成してあっても良い。
加えて、ドーム状構造体Ａの内がわの空気は、適宜浄化設備を介してドーム状構造体Ａの外に排気できるように構成され、大気汚染を確実に防止できるように形成される。更に、ドーム状構造体Ａの内がわの空気は、適宜浄化設備を介してドーム状構造体Ａの外がわから吸気できるように構成したり、或いは、ドーム状構造体Ａの内がわに設けた酸素発生装置から供給できるように形成される。
ところで、ドーム状構造体Ａの具体的構成や、形状や、寸法や、材質や、外装体の具体的構成や、形状や、寸法や、材質や、梁の具体的構成や、形状や、寸法や、材質や、支柱の具体的構成や、形状や、寸法や、材質や、数や、配設位置等にあっては、図示例のもの等に限定されることなく、適宜自由に設定、変更できるものである。尚、外装体を梁だけで十分支えられる場合は、支柱を設けなくても良い。また、外装体は、二重に設けるようにすることも可能である。
【００１７】
前記基礎部Ｂに設けられる積層部Ｂ１は、例えば、放射線を遮断できる鉛や、アルミや、ステンレスや、チタンや、鉄や、セラミックや、コンクリートや、適宜合成樹脂材や、適宜複合材や、その他の適宜材料で構成され、且つ土壌汚染を防止できるような層を、適宜積層状態に配することにより構成されたものである。すなわち、プラント全体Ｐと土壌とを確実に遮断して、土壌汚染を確実に防止できるように構成されたものが採用されている。
ところで、基礎部Ｂの具体的構成や、形状や、寸法や、材質や、積層部Ｂ１の具体的構成や、形状や、寸法や、材質等にあっては、図示例のもの等に限定されることなく、適宜自由に設定、変更できるものである。
尚、基礎部Ｂの最下部には、砂の層を設けて、プラント全体Ｐの免震効果を発揮できるように形成しても良い。
また、基礎部Ｂ自体をフローティング構造にして、プール状に形成した敷地に浮かべるように形成することも可能である。加えて、プラント全体Ｐを、例えば、原子力船や原子力潜水艦の如く構成し、これをプール状に形成した敷地に浮かべるように形成することも可能である。
【００１８】
前記外周壁体Ｃは、例えば、コンクリート等によって構成され、ドーム状構造体Ａから離れた周囲をある程度の高さで囲繞できるように構成されている。
すなわち、テロ等による危険性にも対応し易くなり、防災性がより高められるように構成されている。
尚、外周壁体Ｃの具体的構成や、形状や、寸法や、材質等にあっては、図示例のもの等に限定されることなく、適宜自由に設定、変更できるものである。
【００１９】
ところで、前記ドーム状構造体Ａによれば、プラント全体Ｐをコンパクトに纏め易いものとなる。そこで、ドーム状構造体Ａで夫々覆われる各種プラントを、所定の敷地内に纏めて集合させるよう構成することにより、プラント群全体がコンパクトとなると共に、その安全管理等がより行い易くなる。
【００２０】
本考案は、以上に述べた実施形態に限られるものではなく、考案の要旨を逸脱しない範囲内で各種の変更が可能なものである。
【産業上の利用可能性】
【００２１】
しかして、本考案のプラント用施設によれば、プラント全体Ｐの外観上の体裁が良くなり、空気の環境汚染を低減でき、防災性も高められ、各種プラントの安全管理が行い易く、これからの社会に貢献できる有益なものとなる。
【符号の説明】
【００２２】
Ａ      ドーム状構造体
Ｂ      基礎部
Ｂ１    積層部
Ｃ      外周壁体
【図１】
0003159728.tif 000003
【図２】
0003159728.tif 000004
【手続補正書】
【提出日】平成22年3月17日(2010.3.17)
【手続補正１】
【補正対象書類名】明細書
【補正対象項目名】全文
【補正方法】変更
【補正の内容】
【考案の詳細な説明】
【技術分野】
【０００１】
本考案は、石油精製プラントや、石油化学プラントや、製薬プラントや、発電プラント（原子力発電、火力発電）や、環境処理プラント（浄水処理、廃棄物処理）の如き各種プラントに設置されるプラント施設に係り、特に、プラントによる環境汚染を低減できるようにすると共に、プラント自体の防災性を高められ、しかも、プラント本体の外観上の体裁が良くなるように工夫したプラント施設に関するものである。
【背景技術】
【０００２】
従来の原子力発電プラントや石油化学プラントやその他の各種プラントにあっては、例えば、所定の敷地内に各設備を配置すると共に、これらを適宜配管等で結ぶように構成されたものが数多く見受けられる。例えば、原子力発電プラントにあっては、特許文献１の図１に示すように、原子炉建屋や、燃料貯蔵設備や、浄化装置や、適宜配管等を所定の敷地内に設置することにより構成されている。
【先行技術文献】
【特許文献】
【０００３】
【特許文献１】特開平１０−１０４３８３号公報（図１）
【考案の概要】
【考案が解決しようとする課題】
【０００４】
ところが、従来の各種プラントにあっては、環境汚染対策や、防災対策等について十分な対応処置が図られているとは言えない問題点があった。
そこで、本願考案者は、これらの問題点を解消することにより、環境汚染を低減でき、防災性に優れ、外観上の体裁も良く、安全管理を行い易くなり、これからの社会に貢献できるようなプラント施設を案出したものである。
【課題を解決するための手段】
【０００５】
しかして、前述の如き課題を達成できるようにすべく、本考案の請求項１記載のプラント施設にあっては、石油精製プラントや石油化学プラントや製薬プラントや発電プラントや環境処理プラントの如き各種プラントに於いて、建屋や付帯設備一式を含むプラント本体Ｐと、このプラント本体Ｐの上方空間を覆うドーム状構造体Ａとで構成する手段を採用した。
【０００６】
また、本考案の請求項２記載のプラント施設にあっては、石油精製プラントや石油化学プラントや製薬プラントや発電プラントや環境処理プラントの如き各種プラントに於いて、建屋や付帯設備一式を含むプラント本体Ｐと、このプラント本体Ｐの上方空間を覆うドーム状構造体Ａと、このドーム状構造体Ａから離れた周囲を囲繞する外周壁体Ｃとで構成する手段を採用した。
【０００７】
更に、本考案の請求項３記載のプラント施設にあっては、建屋や付帯設備一式を含むプラント本体Ｐが設置されている基礎部Ｂに、金属材或いは合成樹脂材からなる土壌汚染防止用の積層部Ｂ１を設ける手段を採用した。
【考案の効果】
【０００８】
従って、請求項１のプラント施設によれば、ドーム状構造体Ａによってプラント本体Ｐの外観上の体裁が良くなると共に、各種プラントによる空気の環境汚染を低減できるようになり、防災性にも優れたものとなる。
しかも、ドーム状構造体Ａによってプラント本体Ｐと外部とを確実に遮断することが可能となり、各種プラントの安全管理が行い易いものとなる。すなわち、ドーム状構造体Ａ内の空気のコントロールや浄化処理等が行い易くなる。ひいては、これからの社会に貢献できる有益なものとなる。
【０００９】
また、請求項２のプラント施設によれば、ドーム状構造体Ａによってプラント本体Ｐの外観上の体裁が良くなると共に、各種プラントによる空気の環境汚染を低減できるようになり、防災性にも優れたものとなる。
しかも、ドーム状構造体Ａによってプラント本体Ｐと外部とを確実に遮断することが可能となり、各種プラントの安全管理が行い易いものとなる。すなわち、ドーム状構造体Ａ内の空気のコントロールや浄化処理等が行い易くなる。ひいては、これからの社会に貢献できる有益なものとなる。
加えて、外周壁体Ｃを設けたことによって、防災性がより優れたものとなり、例えば、テロ等による危険性にも対応し易いものとなる。
【００１０】
更に、請求項３のプラント施設によれば、基礎部Ｂに設けた積層部Ｂ１によって、土壌汚染を確実に低減できるようになる。
【図面の簡単な説明】
【００１１】
【図１】本考案のプラント施設を例示する概略縦断面図である。
【図２】本考案のプラント施設を例示する概略平面図である。
【考案を実施するための形態】
【００１２】
以下、本考案を説明すると、次の通りである。
本考案は、石油精製プラントや、石油化学プラントや、製薬プラントや、発電プラント（原子力発電、火力発電）や、環境処理プラント（浄水処理、廃棄物処理）の如き各種プラント施設であって、このプラント施設は、建屋や付帯設備一式を含むプラント本体Ｐの上方空間をドーム状構造体Ａで覆うように構成することにより、課題を達成するものである。
【実施例】
【００１３】
図示例のプラント施設は、その建屋や付帯設備一式を含むプラント本体Ｐと、このプラント本体Ｐの上方空間を覆うように構成したドーム状構造体Ａと、このドーム状構造体Ａから離れた周囲を囲繞できるように構成した外周壁体Ｃと、基礎部Ｂに設置されると共に、金属材或いは合成樹脂材からなる土壌汚染防止用の積層部Ｂ１とで構成したものである。
【００１４】
すなわち、前記ドーム状構造体Ａは、プラント本体Ｐと外部とを確実に遮断できて、環境汚染や、防災に対して対応できるように構成されると共に、プラント本体Ｐの外観上の体裁を良くできるように構成されたものである。しかも、ドーム状構造体Ａは、プラント本体Ｐの安全管理が行い易いように構成されたものである。すなわち、ドーム状構造体Ａで覆われた内がわの空気をコントロールすることや、この空気の浄化処理等が行い易くなるように形成されている。
また、前記外周壁体Ｃは、プラント本体Ｐの防災性をより高められるように構成されたものである。
更に、前記基礎部Ｂに設けた積層部Ｂ１は、土壌汚染を確実に低減できるように構成されたものである。
【００１５】
前記ドーム状構造体Ａは、例えば、必要に応じて適宜配される支柱によって、適宜梁を支えられるように形成し、この梁の上にドーム状の外装体を設けるようにして構成されている。
しかも、前記外装体は、例えば、放射線を遮断できる鉛や、アルミや、ステンレスや、チタンや、セラミックや、適宜合成樹脂材や、適宜複合材や、コンクリートや、その他の適宜材料によって構成されている。しかも、外装体は、複数の層からなる積層状態に構成しても良い。
尚、外装体は、ドーム状構造体Ａの外がわの空気と内がわの空気とを確実に遮断できるものであって、更に、強度や耐久性に優れ、比較的低廉で、軽量なものが好ましい。
【００１６】
また、ドーム状構造体Ａには、防災用のスプリンクラーを多数付設したり、消化剤等を噴出できるように形成したり、或いは、殺菌剤等を噴出できるように形成してあっても良い。
加えて、ドーム状構造体Ａの内がわの空気は、適宜浄化設備を介してドーム状構造体Ａの外に排気できるように構成され、大気汚染を確実に防止できるように形成される。更に、ドーム状構造体Ａの内がわの空気は、適宜浄化設備を介してドーム状構造体Ａの外がわから吸気できるように構成したり、或いは、ドーム状構造体Ａの内がわに設けた酸素発生装置から供給できるように形成される。
ところで、ドーム状構造体Ａの具体的構成や、形状や、寸法や、材質や、外装体の具体的構成や、形状や、寸法や、材質や、梁の具体的構成や、形状や、寸法や、材質や、支柱の具体的構成や、形状や、寸法や、材質や、数や、配設位置等にあっては、図示例のもの等に限定されることなく、適宜自由に設定、変更できるものである。尚、外装体を梁だけで十分支えられる場合は、支柱を設けなくても良い。また、外装体は、二重に設けるようにすることも可能である。
【００１７】
前記基礎部Ｂに設けられる積層部Ｂ１は、例えば、放射線を遮断できる鉛や、アルミや、ステンレスや、チタンや、鉄や、セラミックや、コンクリートや、適宜合成樹脂材や、適宜複合材や、その他の適宜材料で構成され、且つ土壌汚染を防止できるような層を、適宜積層状態に配することにより構成されたものである。すなわち、プラント本体Ｐと土壌とを確実に遮断して、土壌汚染を確実に防止できるように構成されたものが採用されている。
ところで、基礎部Ｂの具体的構成や、形状や、寸法や、材質や、積層部Ｂ１の具体的構成や、形状や、寸法や、材質等にあっては、図示例のもの等に限定されることなく、適宜自由に設定、変更できるものである。
尚、基礎部Ｂの最下部には、砂の層を設けて、プラント本体Ｐの免震効果を発揮できるように形成しても良い。
また、基礎部Ｂ自体をフローティング構造にして、プール状に形成した敷地に浮かべるように形成することも可能である。加えて、プラント本体Ｐを、例えば、原子力船や原子力潜水艦の如く構成し、これをプール状に形成した敷地に浮かべるように形成することも可能である。
【００１８】
前記外周壁体Ｃは、例えば、コンクリート等によって構成され、ドーム状構造体Ａから離れた周囲をある程度の高さで囲繞できるように構成されている。
すなわち、テロ等による危険性にも対応し易くなり、防災性がより高められるように構成されている。
尚、外周壁体Ｃの具体的構成や、形状や、寸法や、材質等にあっては、図示例のもの等に限定されることなく、適宜自由に設定、変更できるものである。
【００１９】
ところで、前記ドーム状構造体Ａによれば、プラント本体Ｐをコンパクトに纏め易いものとなる。そこで、ドーム状構造体Ａで夫々覆われる各種プラントを、所定の敷地内に纏めて集合させるよう構成することにより、プラント群全体がコンパクトとなると共に、その安全管理等がより行い易くなる。
【００２０】
本考案は、以上に述べた実施形態に限られるものではなく、考案の要旨を逸脱しない範囲内で各種の変更が可能なものである。
【産業上の利用可能性】
【００２１】
しかして、本考案のプラント施設によれば、プラント本体Ｐの外観上の体裁が良くなり、空気の環境汚染を低減でき、防災性も高められ、各種プラントの安全管理が行い易く、これからの社会に貢献できる有益なものとなる。
【符号の説明】
【００２２】
Ａ      ドーム状構造体
Ｂ      基礎部
Ｂ１    積層部
Ｃ      外周壁体
Ｐ プラント本体
【手続補正２】
【補正対象書類名】実用新案登録請求の範囲
【補正対象項目名】全文
【補正方法】変更
【補正の内容】
【実用新案登録請求の範囲】
【請求項１】
石油精製プラントや石油化学プラントや製薬プラントや発電プラントや環境処理プラントの如き各種プラントに於いて、建屋や付帯設備一式を含むプラント本体と、このプラント本体の上方空間を覆うドーム状構造体とで構成したことを特徴とするプラント施設。
【請求項２】
石油精製プラントや石油化学プラントや製薬プラントや発電プラントや環境処理プラントの如き各種プラントに於いて、建屋や付帯設備一式を含むプラント本体と、このプラント本体の上方空間を覆うドーム状構造体と、このドーム状構造体から離れた周囲を囲繞する外周壁体とで構成したことを特徴とするプラント施設。
【請求項３】
建屋や付帯設備一式を含むプラント本体が設置されている基礎部に、金属材或いは合成樹脂材からなる土壌汚染防止用の積層部を設けたことを特徴とする請求項１または請求項２記載のプラント施設。